(57)【要約】【課題】商品メーカーの負担する広告費を軽減することができるとともに、視聴者に対してコマーシャル商品の取扱店、在庫数、価格などの最新の情報を提供することができる放送装置を提供する。【解決手段】民間放送局３は、放送する番組またはコマーシャルの情報を予め記憶するためのメイン記憶装置３０１と、上記番組またはコマーシャルの情報以外のデータ放送の情報を予め記憶するためのデータ記憶装置３０２とを有する。ここで、データ記憶装置３０２に記憶されている情報は、コマーシャル商品の詳細情報、コマーシャル商品の販売を手がける販売店情報などのデータ情報である。ここで、データ記憶装置３０２の情報は、広域通信回線網７を介して遠隔地すなわち商品メーカー１、販売店６の通信端末から更新することが可能である。【選択図】      図１
2004229228.tif 000002
【特許請求の範囲】
【請求項１】
映像情報および音声情報を含む各種情報を多重化して放送する放送装置であって、
映像情報および音声情報を記憶する主情報記憶手段と、
地域毎に共通の共通情報を記憶する共通情報記憶手段と、
地域情報が付与された地域別情報を記憶する地域別情報記憶手段と、
前記映像情報と前記音声情報と前記共通情報と前記地域別情報とを多重化する多重化手段と、
前記多重化手段により多重化された情報を伝送する伝送手段と、
遠隔地に設けられた端末と通信を行い、該通信により前記地域別情報記憶手段に記憶されている地域別情報を更新する更新手段と
を備えることを特徴とする放送装置。
【請求項２】
映像情報および音声情報を含む各種情報を多重化して放送する放送システムの受信装置であって、
映像情報、音声情報、地域毎に共通の共通情報、および地域情報が付与された地域別情報が多重化された情報を受信する受信手段と、
前記受信手段により受信された情報を、前記映像情報、前記音声情報、前記共通情報、前記地域別情報のそれぞれに分離する多重化分離手段と、
受信地域情報を記憶する受信地域情報記憶手段と、
前記共通情報と前記地域別情報とを記憶するデータ情報記憶手段と、
前記地域別情報と前記受信地域情報とを比較し、前記受信地域情報に一致した前記地域別情報を地域情報として選別する地域情報選別手段と、
前記共通情報または前記地域情報選別手段により選別された前記地域情報が表示されたことを検出するデータ情報表示検出手段と、
前記データ情報表示検出手段の検出結果に応じて前記共通情報と前記地域別情報とを前記データ情報記憶手段に記憶するように制御を行うデータ情報制御手段と
を備えることを特徴とする受信装置。
【発明の詳細な説明】
【０００１】
【発明の属する技術分野】
本発明は、映像情報および音声情報を含む各種情報が多重化されて放送されるテレビジョン放送システムなどの広域放送システムに用いられる放送装置および受信装置に関する。
【０００２】
【従来の技術】
一般に、商品メーカーが販売する商品を宣伝する手段として、テレビジョン放送におけるコマーシャル放送が用いられている。
【０００３】
ここで、コマーシャル放送における商品メーカーと民間放送局と視聴者との関係について説明する。図１６は従来のコマーシャル放送における商品メーカーと民間放送局と視聴者との関係を示す模式図である。
【０００４】
図１６に示すように、商品メーカー１は、販売する商品に関するコマーシャル放送の製作を映像製作会社２に委託する。そして、商品メーカー１は民間放送局３に広告費を支払い、映像製作会社２により製作されたコマーシャル放送の放送を依頼する。民間放送局３からの放送波は、視聴者４のテレビジョンなどの受信装置で受信され、視聴者４は、受信装置で受信された放送を視聴する。民間放送局３は、放送する番組またはコマーシャル放送の情報を予め記憶するためのメイン記憶装置３０１を有する。
【０００５】
コマーシャル放送の放送時間は、通常、約１５秒程度と限られており、このような短い時間では視聴者に十分な商品紹介を行うことが難しい。よって、コマーシャル放送の内容は、視聴者に商品の名前を覚えてもらい、映像で商品のイメージを提供することを目的とするものに限定される。ここで、例えば視聴者がコマーシャルを見て商品に興味を持ち、さらに詳細な情報が知りたい、またはどこで購入することができるかを知りたいとしても、従来のコマーシャル放送は約１５秒間分の情報を提供するものであるので、上記のような情報を視聴者に提供することは難しい。
【０００６】
近年、テレビジョン放送の方式として、アナログ方式からデジタル方式への検討が開始され、デジタル化という新たな技術革新を契機として、テレビジョン放送が情報通信メディアとしてさらに高度化し、飛躍的な発展を遂げようとしている。既に国内では、ＰｅｒｆｅｃｔＴＶやＤｉｒｅｃｔＴＶなどのＣＳ（Ｃｏｍｍｕｎｉｃａｔｉｏｎ  Ｓａｔｅｌｌｉｔｅ：通信衛星）を用いた放送や、ＢＳ（Ｂｒｏａｄｃａｓｔｉｎｇ  Ｓａｔｅｌｌｉｔｅ：放送衛星）を用いた放送でデジタル化が実現されている。さらに、現在、地上波においてもデジタル化の検討が進められており、近い将来、全ての放送波がデジタル方式に変わろうとしている。
【０００７】
デジタルテレビジョン放送のメリットは、アナログ方式での１チャネル分に相当する周波数帯域で、３チャネルの番組を伝送することができ、多チャンネル化が可能となることである。これにより、ニュースやスポーツ、またはドラマなどを組み合わせたマルチ番組（混合多重編成番組）や、一つのチャネル内で異なる三つの番組を放送するマルチチャネル放送など、新たなサービスが実現される。
【０００８】
さらに、デジタルテレビジョン放送では、映像や音声の放送に限らず、各種のデータ放送を付加した統合型の放送サービスが可能となる。データ放送を付加したサービスとしては、テレビ番組にデータ情報を付加してマルチメディア的サービスを提供するものと、テレビ番組とは別の独立したサービスを提供するものとに分けられ、主なサービスとしては、視聴者参加型テレビ、ホームショッピング、各種情報サービス、いつでも好きなときに見ることができる天気予報やニュースなどが挙げられる。
【０００９】
このようなデータ放送を用いれば、コマーシャルにさらに詳細な商品説明を付加することが可能となる。図１７はデータ放送により商品情報が付加されたコマーシャルが放映されているときのテレビジョンにおける表示画面の一例を示す模式図である。
【００１０】
コマーシャル放映中に、そのコマーシャルに関連するデータ情報がある場合、図１７（ａ）に示すように、そのコマーシャルに関連する商品情報があることを示すマーク（本例では“ｄ”と表記されたマーク）がコマーシャルの映像上に表示される。ここで視聴者が、テレビジョンの操作を行うためのリモートコントローラなどを用いてコマーシャルに関連する商品情報の表示を指示すると、図１７（ｂ）に示すように、データ放送により送られてきたその商品に関連する情報が表示されることとなる。本例では、コマーシャルにより流れている映像が繰り返し表示されるとともに、その商品に関する説明が表示されている様子を示している。
【００１１】
このときのコマーシャル放送における商品メーカーと民間放送局と視聴者との関係について図１８を参照しながら説明する。図１８はコマーシャル放送における商品メーカーと民間放送局と視聴者との関係を示す模式図である。
【００１２】
商品メーカー１は、販売する商品に関するコマーシャル放送の製作を映像製作会社２に依頼し、その商品に関する商品情報の製作をコンテンツ製作会社５に依頼し、コマーシャル放送および商品情報の放送を民間放送局３に広告費を支払って依頼する。視聴者４はテレビジョン受像機などの受信装置で民間放送局３からの放送波を受信して視聴を行う。民間放送局３は、放送する番組またはコマーシャルの情報を予め記憶するためのメイン記憶装置３０１およびデータ放送の情報を記憶するためのデータ記憶装置３０２を有する。
【００１３】
このように、テレビジョン放送の方式がアナログ方式からデジタル方式に変わることにより、コマーシャル方法に関しても単に１５秒程度の情報提供で終わるのではなく、より詳細な商品の情報提供が可能となる。
【００１４】
【発明が解決しようとする課題】
しかしながら、図１６および図１８に示したように、コマーシャルの制作費および民間放送局３への広告費を負担するのは商品メーカー１であり、データ放送によりコマーシャル商品の詳細情報を提供しようとした場合、その情報を製作するための費用、および民間放送局がデータ情報を管理するための管理費がさらに商品メーカー１の負担となる。
【００１５】
また、コマーシャルが提供される視聴者４が、データ放送によりコマーシャル商品の詳細情報を知ってその商品を買いたいと思っても、視聴者４はその商品をどこで買えるのかといった情報を入手することができず、直接購買行為に結びつくものではない。
【００１６】
地域に密着した情報を提供する手段としては、特願平８−２３１６５５号または特願平５−３１９１０１号（および特願平５−３１９１０１号の分割で特願２０００−１１７５８２号、特願２０００−１１７５８１号、特願２０００−１１７５８０号）に開示されている、コマーシャルや天気予報など、主放送以外に地域限定情報を付与した副放送を多重して放送し、受信した地域に限定した情報を表示するものがある。
【００１７】
また、視聴者にとっては在庫がいくつあるとか価格の安い販売店はどこなのかといった最新の情報が必要である。しかしながら、特願平８−２３１６５５号または特願平５−３１９１０１号においては、地域限定情報を更新するための手段が開示されておらず、地域限定情報に最新の情報を載せることは困難である。
【００１８】
また、特願平８−２３１６５５号または特願平５−３１９１０１号に開示されている手段では、副放送を多重して放送しているときにしか地域限定情報を視聴することができず、以前に地域限定情報を再度見たいといっても、再び副放送が多重されて放送されない限り視聴することはできない。
【００１９】
また、特願平８−２３１６５５号または特願平５−３１９１０１号では、課金する仕組みについて何も言及されていない。
【００２０】
本発明の目的は、商品メーカーの負担する広告費を軽減することができるとともに、視聴者に対してコマーシャル商品の取扱店、在庫数、価格などの最新の情報を提供することができる放送装置および受信装置を提供することにある。
【００２１】
【課題を解決するための手段】
本発明は、上記目的を達成するため、映像情報および音声情報を含む各種情報を多重化して放送する放送装置であって、映像情報および音声情報を記憶する主情報記憶手段と、地域毎に共通の共通情報を記憶する共通情報記憶手段と、地域情報が付与された地域別情報を記憶する地域別情報記憶手段と、前記映像情報と前記音声情報と前記共通情報と前記地域別情報とを多重化する多重化手段と、前記多重化手段により多重化された情報を伝送する伝送手段と、遠隔地に設けられた端末と通信を行い、該通信により前記地域別情報記憶手段に記憶されている地域別情報を更新する更新手段とを備えることを特徴とする。
【００２２】
本発明は、上記目的を達成するため、映像情報および音声情報を含む各種情報を多重化して放送する放送システムの受信装置であって、映像情報、音声情報、地域毎に共通の共通情報、および地域情報が付与された地域別情報が多重化された情報を受信する受信手段と、前記受信手段により受信された情報を、前記映像情報、前記音声情報、前記共通情報、前記地域別情報のそれぞれに分離する多重化分離手段と、受信地域情報を記憶する受信地域情報記憶手段と、前記共通情報と前記地域別情報とを記憶するデータ情報記憶手段と、前記地域別情報と前記受信地域情報とを比較し、前記受信地域情報に一致した前記地域別情報を地域情報として選別する地域情報選別手段と、前記共通情報または前記地域情報選別手段により選別された前記地域情報が表示されたことを検出するデータ情報表示検出手段と、前記データ情報表示検出手段の検出結果に応じて前記共通情報と前記地域別情報とを前記データ情報記憶手段に記憶するように制御を行うデータ情報制御手段とを備えることを特徴とする。
【００２３】
【発明の実施の形態】
以下、本発明の実施形態について図面を参照しながら説明する。
【００２４】
（第１実施形態）
図１は本発明の第１実施形態に係る放送システムにおける、コマーシャル放送を提供する商品メーカーとコマーシャル商品の販売を手がける販売店と民間放送局と視聴者との関係を示す模式図である。
【００２５】
図１に示すように、商品メーカー１は、販売する商品に関するコマーシャル放送番組の製作を映像製作会社２に依頼し、その商品に関する商品情報の製作をコンテンツ製作会社５に依頼する。そして、商品メーカー１は、民間放送局３に広告費を支払い、コマーシャル放送番組および商品情報の放送を依頼する。視聴者４はテレビジョン受像機などの受信装置により、民間放送局３からの放送波を受信して視聴を行う。民間放送局３は、放送する番組またはコマーシャルの情報を予め記憶するためのメイン記憶装置３０１と、上記番組またはコマーシャルの情報以外のデータ放送の情報を予め記憶するためのデータ記憶装置３０２とを有する。ここで、データ記憶装置３０２に記憶されている情報は、コマーシャル商品の詳細情報、コマーシャル商品の販売を手がける販売店情報などのデータ情報である。
【００２６】
ここで、コマーシャルに関する商品メーカー１とコマーシャル商品の販売を手がける販売店６は、広域通信回線網７に接続されているパーソナルコンピュータなどの通信端末を備える。また、民間放送局３における放送装置も広域通信回線網７に接続されており、データ記憶装置３０２の情報を遠隔地すなわち商品メーカー１、販売店６の通信端末から更新することが可能なように構成されている。
【００２７】
次に、民間放送局３の放送装置の構成について図２を参照しながら説明する。図２は図１の民間放送局３における放送装置の構成を示すブロック図である。
【００２８】
民間放送局３の放送装置は、図２に示すように、上述したメイン記憶装置３０１と、データ記憶装置３０２と、メイン記憶装置３０１またはデータ記憶装置３０２へのデータの入出力を制御し、また放送装置全体の制御を行う制御装置３０８とを有する。メイン記憶装置３０１からは音声と映像に関する素材情報が読み出され、それぞれの情報は順次音声符号化装置３０３と映像符号化装置３０４で符号化処理されて多重化装置３０６へ渡される。ここで、映像に関する符号化手段としては、動画像圧縮技術（高効率符号化方式）の国際標準であるＭＰＥＧ２（Ｍｏｖｉｎｇ  Ｐｉｃｔｕｒｅ  Ｅｘｐｅｒｔｓ  Ｇｒｏｕｐ  ｐｈａｓｅ２）などが用いられ、音声に関する符号化手段としては、マルチチャンネル音声システムに対応した高効率符号化方式で、Ｄｏｌｂｙ社の開発したＡＣ−３（Ａｕｄｉｏ  Ｃｏｄｉｎｇ−３）方式や国際標準であるＭＰＥＧ２オーディオ規格としてのＡＡＣ（Ａｄｖａｎｃｅｄ  Ａｕｄｉｏ  Ｃｏｄｉｎｇ）方式などが用いられる。
【００２９】
データ記憶装置３０２からはコマーシャル商品の詳細情報やコマーシャル商品の販売を手がける販売店情報などのデータ情報が読み出され、このデータ情報は、データ符号化装置３０５で一つのデータ情報素材として合成された後に符号化処理されて多重化部１１０へ渡される。データに関する符号化手段としては、ランレングス符号化方式など、後で受信装置により元の情報を損なわずに復号可能な可逆変換手法が用いられる。音声符号化装置３０３、映像符号化装置３０４、およびデータ符号化装置３０５で符号化処理された音声、映像および各種データの放送素材は、多重化装置３０６で一本の信号の流れとして多重化される。多重化装置３０６により多重化された信号は、変調装置３０７で変調処理されて放送波として送信される。変調装置３０７における変調手段としては、限られた周波数帯域幅の中で多くのデータを送る必要があるため、多値変調方式としての１６ＱＡＭ（Ｑｕａｄｒａｔｕｒｅ  Ａｍｐｌｉｔｕｄｅ  Ｍｏｄｕｌａｔｉｏｎ）や複数の搬送波を用いたマルチキャリア方式としてのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）などのデジタル変調手段が用いられる。
【００３０】
制御装置３０８は、回線接続装置３０９を介して広域通信回線網７に接続され、これによりデータ記憶装置３０２に記憶されているデータ情報の更新を遠隔地から行うことが可能となる。
【００３１】
次に、広域通信回線網７を介して接続された商品メーカー１と販売店６による、民間放送局３のデータ記憶装置３０２に対する操作について説明する。
【００３２】
まず、商品メーカー１は、コマーシャルを行う商品の登録を、広域通信回線網７を介して民間放送局３のデータ記憶装置３０２に対して行うとともに、コマーシャルを行う商品の登録を行ったことをその商品の販売を手がける販売店６に対して広域通信回線網７を介して通知する。ここで、商品メーカー１はコマーシャルを行う商品の登録を行うと、その登録料が民間放送局３から商品メーカー１に対して課金される。
【００３３】
販売店６には商品メーカー１からコマーシャルを行う商品の登録が行われたことが通知され、販売店６がコマーシャルに関するデータ放送上に販売店の情報を載せたい場合には、広域通信回線網７を介して販売店の登録を行う。
【００３４】
次に、販売店６が通信端末を介して販売店の登録または登録した情報の更新を行う場合について図３および図４を参照しながら説明する。図３は販売店６が通信端末を介して販売店の登録を行う際の表示画面の一例を示す図、図４は販売店６が通信端末を介して販売店の登録または登録した情報の更新を行う際の処理の手順を示すフローチャートである。ここで、情報の入力作業は販売店６の通信端末で行われ、入力された情報の処理は民間放送局３の制御装置３０８で行われる。
【００３５】
図４に示すように、まず販売店６の通信端末上で、販売店の登録または登録した情報の更新を行いたい商品が選択され、新規登録、登録した情報の更新のいずれかが選択される（ステップＳ１０１）。新規登録が選択された場合、図３に示す登録画面が表示され、販売店６は必要な項目を入力する（ステップＳ１０２）。入力した情報を登録する場合、画面上の“登録”マーク（図示せず）が選択されるか、通信端末の入力手段に割り当てられた“登録”ボタンが押下される（ステップＳ１０３）。登録しない場合には、画面上の“終了”マーク（図示せず）が選択されるか、通信端末の入力手段に割り当てられた“終了”ボタンが押下される（ステップＳ１０３）。登録が指示された場合、民間放送局３の制御装置３０８は登録番号を発行するとともに、後で登録した内容を参照する際に使用するパスワードの登録画面を表示する（ステップＳ１０４）。販売店６によりパスワードの登録が完了すると、販売店６から商品メーカー１への課金が行われ（ステップＳ１０５）、登録処理は終了する。
【００３６】
次に、一度登録した情報を更新する場合には、上記ステップＳ１０１において修正が選択される。この場合、販売店６の通信端末の表示画面上には登録番号とパスワードの入力画面が表示され、正しい登録番号とパスワードが入力されると（ステップＳ１０６）、民間放送局３の制御装置３０８から既に登録されている情報が送られ、所定のフォーマット（例えば図３の画面に示す内容を修正する場合、図３の画面）で表示される。そこで販売店６は更新したい項目を修正し（ステップＳ１０７）、修正後の内容を登録して終了する。
【００３７】
また、図３の表示画面上で、登録自体をやめる場合には、画面上の“消去”マーク（図示せず）を選択するか、通信端末の入力手段に割り当てられた“消去”ボタン（図示せず）を押下することによって登録内容の抹消が行われ、データ記憶装置３０２に記憶されている情報が消去される。
【００３８】
以上のようにして登録された販売店情報は、制御装置３０８により一旦データ記憶装置３０２に記憶され、多重化装置３０６で映像、音声および商品に関する商品情報とともに多重化された後、変調装置３０７で変調処理されて放送波として送信される。
【００３９】
次に、視聴者４の受信装置の構成について図５を参照しながら説明する。図５は図１の視聴者４の受信装置の構成を示すブロック図である。
【００４０】
受信装置は、民間放送局３の放送装置から送信された放送波を受信して、各種放送素材毎に再生処理を行う。受信装置は、図５に示すように、上記放送装置から送信された放送波を受信し、変調処理前のデジタル信号に復元する復調部４０１を有する。復調部４０１からのデジタル信号は、多重化分離部４０２において、映像、音声、およびコマーシャル商品の詳細情報やコマーシャル商品の販売を手がける販売店情報を含む各種データの放送素材毎に分離される。
【００４１】
多重化分離部４０２で分離された各種放送素材のうち、音声情報は、音声復号化部４０３で符号化前の音声情報に変換される。そして、この変換された音声情報は、Ｄ／Ａ変換器４０７でアナログ信号へ変換された後、外部に接続されるスピーカなどにより可聴音として再生される。映像情報は、映像復号化部４０４により、符号化される前の映像情報に変換される。そして、この変換された映像情報は、映像合成部４０６において、ＣＰＵ４０９からの電子番組表やその他の画像データと合成処理された後、Ｄ／Ａ変換器４０８によりアナログ信号へ変換される。このアナログ信号は、外部に接続される表示装置へ出力され、映像として再生される。
【００４２】
コマーシャル商品の詳細情報やコマーシャル商品の販売を手がける販売店情報を含む各種データ情報は、データ復号化部４０５において、符号化される前のデータ情報に変換され、ＣＰＵ４０９（制御部）に渡される。ＣＰＵ４０９では、放送装置から送信される放送波に含まれる各種データ情報からＥＰＧ（ＥｌｅｃｔｒｉｃＰｒｏｇｒａｍ  Ｇｕｉｄｅ）などの画像データを生成したり、Ｉ／Ｏコントローラ４１１を介して接続される各種入出力装置からの情報を画像データとして生成したり、Ｉ／Ｏコントローラ４１１を介して各種入出力装置の制御を行う。ＣＰＵ４０９により生成された画像データは一旦静止画記憶部４１０に記憶された後、映像合成部４０６において、放送装置から送信される放送波に含まれる映像情報と合成処理される。この合成処理後の映像情報は、Ｄ／Ａ変換器４０８によりアナログ信号へ変換された後、外部に接続される表示装置へ出力されて再生される。
【００４３】
Ｉ／Ｏコントローラ４１１には、視聴者４により操作されるリモートコントローラ４１３からの赤外線を受光してその赤外線に含まれるデータを抽出する赤外線受光部４１２、およびユーザの認証情報が含まれているＩＣカード４１５を接続するためのカードスロット４１４が接続され、Ｉ／Ｏコントローラ４１１は、これらの機器を、ＣＰＵ４０９からの指示に従い制御する。
【００４４】
ＣＰＵ４０９には、電気消去型不揮発性メモリ（以下、ＥＥＰＲＯＭという：Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）４１６が接続され、ＥＥＰＲＯＭ４１６には、保護のかかった放送を再生するためのキー情報や視聴者の個人情報（住所や電話番号または視聴する代表者の氏名等）などの情報が記憶される。
【００４５】
以上に説明した構成において、視聴者４により、コマーシャル放送時にコマーシャル商品に関する詳細情報および販売店情報を含む商品のデータ情報を表示するように指示された際のＣＰＵ４０９による制御処理について図６を参照しながら説明する。図６は視聴者によりコマーシャル放送時に商品のデータ情報を表示するように指示された際のＣＰＵ４０９による制御処理の手順を示すフローチャートである。
【００４６】
ＣＰＵ４０９は、図６に示すように、まず、再生しているコマーシャル放送に関連するデータ放送があるか否かを判定する（ステップＳ２０１）。ここで、再生しているコマーシャル放送に関連するデータ放送が無い場合には、そのままコマーシャル放送の再生を継続する。
【００４７】
再生しているコマーシャル放送に関連するデータ放送がある場合、ＣＰＵ４０９は、図１７の表示画面例で示したように、そのコマーシャルに関連する商品情報があることを示す“ｄ”と表記されたマークを静止画記憶部４１０に描画し、このマークを映像合成部４０６で映像復号化部４０４からの映像情報と合成して表示するよう、制御する（ステップＳ２０２）。
【００４８】
そして、ＣＰＵ４０９は、リモートコントローラ４１３を介して視聴者４によりコマーシャルに関連する商品情報の表示が指示された否かを判定し（ステップＳ２０３）、指示が無い場合は、コマーシャル放送が終了したか否かを判定し（ステップＳ２０４）、コマーシャル放送が終了した場合は、静止画記憶部４１０に描画した“ｄ”と表記されたマークを消去して（ステップＳ２０５）コマーシャルに続く通常の放送の再生を継続するよう、制御する。ＣＰＵ４０９は、上記ステップＳ２０４でコマーシャルが終了していないと判定した場合、上記ステップＳ２０３に戻る。
【００４９】
“ｄ”と表記されたマークの表示期間中に、視聴者４によりコマーシャルに関連する商品情報の表示が指示された場合（ステップＳ２０３）、ＣＰＵ４０９は、データ放送に含まれるコマーシャル商品の詳細情報とコマーシャル商品の販売を手がける販売店情報とを分離し（ステップＳ２０６）、コマーシャル商品の詳細情報を静止画記憶部４１０に書き込む（ステップＳ２０７）。
【００５０】
次いで、ＣＰＵ４０９は、上記ステップＳ２０６で分離されたコマーシャル商品の販売を手がける販売店情報の中に、ＥＥＰＲＯＭ４１６に記憶されている個人情報に含まれている地域情報と合致する情報があるか否かを判定し（ステップＳ２０８）、合致する情報がある場合は、抽出した情報を静止画記憶部４１０に書き込む（ステップＳ２０９）。ここで、ＥＥＰＲＯＭ４１６に記憶されている個人情報に含まれている地域情報としては、郵便番号や電話番号の市外局番などを利用することができる。
【００５１】
コマーシャル商品の詳細情報と抽出したコマーシャル商品の販売を手がける販売店情報が静止画記憶部４１０に描画されると、ＣＰＵ４０９は、表示内容を全面静止画記憶部４１０からの情報に切り替えるよう、映像合成部４０６に対して指示を出す（ステップＳ２１０）。
【００５２】
その後、本実施形態では、コマーシャルで映像として再生されているものと同じものが静止画の連続描画による擬似動画として表示されるものとしている。すなわち、ＣＰＵ４０９は、リモートコントローラ４１３を介して視聴者４により表示内容を映像復号化部４０４からの映像情報に戻すという指示があるまで（ステップＳ２１２）、コマーシャルの静止画データを展開して静止画記憶部４１０への描画を繰り返す（ステップＳ２１１）。ここで、コマーシャルの静止画データはＪＰＥＧ（Ｊｏｉｎｔ  Ｐｈｏｔｏｇｒａｐｈｉｃ  Ｅｘｐｅｒｔｓ  Ｇｒｏｕｐ）またはＭＮＧ（Ｍｕｌｔｉｐｌｅ−ｉｍａｇｅ  Ｎｅｔｗｏｒｋ  Ｇｒａｐｈｉｃｓ）のような動画／静止画圧縮フォーマットでコード化された情報として、コマーシャル商品の詳細情報やコマーシャル商品の販売を手がける販売店情報とともにデータ放送として送信され、これをＣＰＵ４０９が展開して静止画記憶部４１０へ描画するものとする。
【００５３】
リモートコントローラ４１３を介して視聴者４により表示内容を映像復号化部４０４からの映像情報に戻すという指示があった場合、ＣＰＵ４０９は、映像合成部４０６に対して表示内容を全面映像復号化部４０４からの情報に切り替えるよう指示を出し（ステップＳ２１３）、コマーシャル商品の関連情報の表示を終了する。  以上のような構成において、視聴者によりコマーシャルに関連する商品情報の表示が指示されたときの表示画面の一例を図７に示す。この表示画面において、その右位置には、上記ステップＳ２０７で静止画記憶部４１０へ書き込まれたコマーシャル商品の詳細情報（商品説明）が表示されている。このコマーシャル商品の詳細情報の表示位置の下方位置には、コマーシャル商品の詳細情報が複数ページに渡ってある場合に表示するページを変更するための“次”マークと“前”マークが表示されているとともに、表示内容を映像復号化部４０４からの映像情報に戻すための“戻る”マークが表示されている。視聴者は、リモートコントローラ４１３を介してこれらのマークを指定することにより表示内容の変更を指示する。また、リモートコントローラ４１３にこれらのマークに相当するボタンが割り当てられている場合は、直接リモートコントローラ４１３から表示内容の変更を指示することになる。表示画面の左上には、上記ステップＳ２１１で静止画記憶部４１０へ書き込まれたコマーシャルで映像として再生されているものと同じものが擬似動画として表示されている。表示画面の左下位置には、上記ステップＳ２０９で静止画記憶部４１０へ書き込まれたコマーシャル商品の販売を手がける販売店情報が表示されている。
【００５４】
図８は表示画面上に表示される販売店情報の一例を示す図である。この図８に示す表示画面上の販売店情報には、住所や電話番号など販売店の所在を知らせる情報、または連絡を取るための情報と、その日の商品の在庫数や販売店固有の情報などが表示され、視聴者は新しい情報を瞬時に得ることができる。ここで、上記ステップＳ２０８でＥＥＰＲＯＭ４１６に記憶されている個人情報に含まれている地域情報と比較を行うのに用いられる郵便番号や電話番号は、既に地域が限定された情報が表示されているため、表示していない。
【００５５】
以上説明したように、本実施形態によれば、視聴者４は、コマーシャル放送を見て興味のある商品があった場合、データ放送によりコマーシャル商品の詳細情報を知ることができるとともに居住している地域でのコマーシャル商品の取扱店を知ることができ、即、その商品の入手が可能となる。
【００５６】
また、コマーシャルに関する商品メーカー１とコマーシャル商品の販売を手がける販売店６と民間放送局３とを広域通信回線網７を介して接続することにより、簡単なしくみでかつ余分コストを掛けることなく、最新の情報の提供することが可能となる。すなわち、視聴者は、図８に示すように、その日の商品の在庫数や販売店固有の情報など新しい情報を瞬時に得ることができるようになる。同時に、商品メーカー１と販売店６と民間放送局３との間で課金の仕組みを構築することが可能となる。
【００５７】
（第２実施形態）
次に、本発明の第２実施形態について説明する。
【００５８】
上記第１実施形態の構成では、コマーシャルを放送しているときにのみ、コマーシャル商品に関する詳細情報および販売店情報を知ることができず、以前に詳細情報および販売店情報を確認したコマーシャル商品について、再度コマーシャル商品に関する詳細情報および販売店情報を知りたいといっても、再びコマーシャルが放送されない限り知ることはできない。
【００５９】
そこで、本実施形態では、一度コマーシャル商品に関する詳細情報と販売店情報を視聴した場合、視聴した詳細情報と販売店情報を記憶しておくことにより、視聴後にいつでもコマーシャル商品に関する詳細情報および販売店情報を知ることができる手段について説明を行う。
【００６０】
本実施形態では、コマーシャルを放送する際、コマーシャル商品に関する詳細情報および販売店情報があるときに、詳細情報と販売店情報をデータ放送としてコマーシャル放送に多重して放送するようにしたことにより、視聴者はコマーシャル放送を見て興味のある商品があった場合、データ放送によりコマーシャル商品の詳細情報を知ることができるとともに居住している地域でのコマーシャル商品の取扱店を知ることができる手段について説明を行う。
【００６１】
まず、視聴者４の受信装置の構成について図９を参照しながら説明する。図９は本発明の第２実施形態に係る放送システムにおける視聴者４の受信装置の構成を示すブロック図である。
【００６２】
本実施形態の受信装置は、上記第１実施形態（図５）に対して、構成上、Ｉ／Ｏコントローラ４１１にハードディスク装置（ＨＤＤ）４１７が接続されている点で異なる。ＣＰＵ４０９は、コマーシャル放送中に視聴者によりコマーシャル商品に関する詳細情報と販売店情報の表示が指示された場合に、その情報を展開して静止画記憶部４１０に描画するとともに、ＨＤＤ４１７への書き込みを行う。後に視聴者により、ＨＤＤ４１７への書き込まれているコマーシャル商品に関する詳細情報と販売店情報の表示が指示された場合、この指示を受けてＣＰＵ４０９はＨＤＤ４１７からコマーシャル商品に関する詳細情報と販売店情報を読み出し、静止画記憶部４１０に描画して表示することになる。
【００６３】
次に、視聴者によりコマーシャル放送時にコマーシャル商品に関する詳細情報および販売店情報を含む商品のデータ情報を表示するように指示された際のＣＰＵ４０９による処理について図１０を参照しながら説明する。図１０は視聴者によりコマーシャル放送時に商品のデータ情報を表示するように指示された際のＣＰＵ４０９による処理の手順を示すフローチャートである。
【００６４】
本実施形態においては、図１０に示すように、コマーシャル放送時にコマーシャル商品に関する詳細情報および販売店情報を含む商品のデータ情報を表示するまでの手順、すなわちステップＳ３０１からステップＳ３１２までの手順が第１実施形態のステップＳ２０１からステップＳ２１２までの手順と同じである。
【００６５】
ここで、ステップＳ３１２において、リモートコントローラ４１３を介して視聴者により表示内容を映像復号化部４０４からの映像情報に戻すという指示があった場合、ＣＰＵ４０９は表示しているコマーシャル商品に関する詳細情報と販売店情報をＨＤＤ４１７に待避し（ステップＳ３１３）、その後で映像合成部４０６に対して表示内容を全面映像復号化部４０４からの情報に切り替えるよう指示を出し（ステップＳ３１４）、コマーシャル商品の関連情報の表示を終了することになる。ここでは、リモートコントローラ４１３を介して視聴者により表示内容を映像復号化部４０４からの映像情報に戻すという指示があった場合に、ＣＰＵ４０９は表示しているコマーシャル商品に関する詳細情報と販売店情報をＨＤＤ４１７に待避するとしたが、ＣＰＵ４０９がコマーシャル商品に関する詳細情報と販売店情報をＨＤＤ４１７に待避する時点は、限定されるものではなく、任意の時点とすることが可能である。  次に、ＨＤＤ４１７に蓄えられたコマーシャル商品に関する詳細情報および販売店情報を視聴しようとしたときのＣＰＵ４０９による処理について図１１および図１２を参照しながら説明する。図１１はＨＤＤ４１７に蓄えられたコマーシャル商品に関する詳細情報および販売店情報を視聴しようとしたときのＣＰＵ４０９による処理の手順を示すフローチャート、図１２はＨＤＤ４１７に蓄えられているコマーシャル商品に関する詳細情報および販売店情報の一覧表示例を示す図である。  まず視聴者により過去に視聴したコマーシャル商品に関する詳細情報及び販売店情報を視聴したいと指示があると、図１１に示すように、ＣＰＵ４０９はＨＤＤ４１７に蓄えられているコマーシャル商品に関する詳細情報および販売店情報を検索し、一覧表示として静止画記憶部４１０へ描画し（ステップＳ４０１）、映像合成部４０６に対して表示内容を全面静止画記憶部４１０からの情報に切り替えるように指示を出す（ステップＳ４０２）。そのときの表示画面の一例を図１２に示す。図１２に示す表示画面の操作はリモートコントローラ４１３を用いて行うことができ、選択されている項目はその欄全体が着色されている等の修飾が施されており、他の欄と区別されているものとする。この時点でリモートコントローラ４１３を介して視聴者により選択している項目のコマーシャル商品に関する詳細情報および販売店情報の表示が指示された場合（ステップＳ４０３）、ＣＰＵ４０９は、選択された項目のコマーシャル商品に関する詳細情報及び販売店情報をＨＤＤ４１６から読み出し（ステップＳ４０５）、コマーシャル商品の詳細情報と販売店情報とを分離し（ステップＳ４０６）、コマーシャル商品の詳細情報を静止画記憶部４１０に書き込む（ステップＳ４０７）。
【００６６】
次いで、ＣＰＵ４０９は、上記ステップＳ４０６で分離したコマーシャル商品の販売を手がける販売店情報に、ＥＥＰＲＯＭ４１６に記憶されている個人情報に含まれている地域情報と合致する情報があるか否かを判定し（ステップＳ４０８）、合致する情報がある場合には、この情報を静止画記憶部４１０に書き込む（ステップＳ４０９）。
【００６７】
その後、本実施形態では、コマーシャルで映像として再生されているものと同じものが静止画の連続描画による擬似動画として表示されるものとする。すなわち、ＣＰＵ４０９は、リモートコントローラ４１３を介して視聴者により表示内容を映像復号化部４０４からの映像情報に戻すという指示があるまで（ステップＳ４１１）、コマーシャルの静止画データを展開して静止画記憶部４１０への描画を繰り返す（ステップＳ４１０）。
【００６８】
リモートコントローラ４１３を介して視聴者により表示内容を映像復号化部４０４からの映像情報に戻すという指示があった場合、ＣＰＵ４０９は、映像合成部４０６に対して表示内容を全面映像復号化部４０４からの情報に切り替えるよう指示を出し（ステップＳ４１２）、コマーシャル商品の関連情報の表示を終了する。
【００６９】
図１２に示した表示画面上でリモートコントローラ４１３を介して視聴者により表示内容を映像復号化部４０４からの映像情報に戻すという指示があった場合（ステップＳ４０４）も同様に、ＣＰＵ４０９は、映像合成部４０６に対して表示内容を全面映像復号化部４０４からの情報に切り替えるよう指示を出し（ステップＳ４１２）、コマーシャル商品の関連情報の表示を終了する。
【００７０】
図１２に示した表示画面上でリモートコントローラ４１３を介して視聴者により消去の指示があった場合、そのコマーシャル商品に関する詳細情報および販売店情報はＨＤＤ４１７から消去されることになる。  以上に説明した構成によれば、一度コマーシャル商品に関する詳細情報と販売店情報を視聴した場合、視聴した詳細情報と販売店情報を記憶しておくことにより、視聴後にいつでもコマーシャル商品に関する詳細情報および販売店情報を視聴することが可能となる。
【００７１】
（第３実施形態）
次に、本発明の第３実施形態について説明する。
【００７２】
上記第１および第２実施形態の構成では、データ放送により送られてきたコマーシャル商品に関する詳細情報および販売店情報を表示画面上に表示した場合、それまで視聴していた番組を継続して視聴することができない。
【００７３】
そこで、本実施形態では、データ放送により送られてコマーシャル商品に関する詳情報および販売店情報を表示画面上に表示した場合にでも、それまで視聴していた番組映像を解像度変換技術により縮小して同時に表示することにより、それまで視聴していた番組を継続して視聴することができる手段を実現する。
【００７４】
まず、本実施形態における視聴者４の受信装置の構成について説明する。図１３は本発明の第３実施形態に係る放送システムにおける視聴者４の受信装置の構成を示すブロック図である。
【００７５】
本実施形態の受信装置は、上記第１実施形態で示した受信装置（図５）に対して、映像復号化部４０４と映像合成部４０６との間に解像度変換部４が設けられている点で異なる。本実施形態において、解像度変換部４１８は、ＣＰＵ４０９からの指示に従い映像復号化部４０４から出力される映像情報を任意のサイズの映像情報に変換する解像度変換を行う。ここで、解像度変換に用いられる手法としては、公知である、近傍の４画素から補間する画素を求める直線補間手法や、近傍の１６画素から補間する画素を求めるＣｕｂｉｃ補間手法などが用いられる。解像度変換部４１８で任意のサイズに変換された映像情報は、映像合成部４０６にてＣＰＵ４０９からの電子番組表やその他の画像データと合成処理される。ここで、映像合成部４０６は、解像度変換部４１８から出力される映像情報を任意の位置に配置するように合成処理を行う。そして、映像合成部４０６からの映像情報は、Ｄ／Ａ変換器４０８によりアナログ信号へ変換された後に、外部に接続される表示装置へ出力されて再生されることになる。
【００７６】
次に、視聴者によりコマーシャル放送時にコマーシャル商品に関する詳細情報および販売店情報を含む商品のデータ情報を表示するように指示された際のＣＰＵ４０９による処理について図１４を参照しながら説明する。図１４は本発明の第３実施形態における視聴者によりコマーシャル放送時に商品のデータ情報を表示するように指示された際のＣＰＵ４０９による処理の手順を示すフローチャートである。
【００７７】
コマーシャル放送時にコマーシャル商品に関する詳細情報および販売店情報を含む商品のデータ情報を静止画記憶部４１０へ書き込むまでの手順すなわちステップＳ５０１からステップＳ５０９までの手順は、上記第１実施形態の図６におけるステップＳ２０１からステップＳ２０９までの手順と同じである。
【００７８】
本実施形態において、ＣＰＵ４０９は、ステップＳ５０９でＥＥＰＲＯＭ４１６に記憶されている個人情報に含まれている地域情報と合致する情報がある場合に抽出した情報を静止画記憶部４１０へ書き込んだ後、解像度変換部４１８に対して映像復号化部４０４から出力される映像情報を所望のサイズの映像情報へ変換するよう指示を出し（ステップＳ５１０）、次に映像合成部４０６に対して解像度変換部４１８から出力される映像情報の配置位置を指定すると共に、静止画記憶部４１０に記憶されているコマーシャル商品に関する詳細情報及び販売店情報と合成して出力するよう指示を出す（ステップＳ５１１）。
【００７９】
その後、ＣＰＵ４０９は、リモートコントローラ４１３を介して視聴者により表示内容を映像復号化部４０４からの映像情報に戻すという指示があるまで（ステップＳ５１３）、コマーシャルの静止画データを展開して静止画記憶部４１０への描画を繰り返し（ステップＳ５１２）、コマーシャルで映像として再生されているものと同じものが静止画の連続描画による擬似動画として表示される。
【００８０】
リモートコントローラ４１３を介して視聴者により表示内容を映像復号化部４０４からの映像情報に戻すという指示があった場合、映像合成部４０６に対して表示内容を全面映像復号化部４０４からの情報に切り替えるよう指示を出し（ステップＳ５１４）、コマーシャル商品の関連情報の表示を終了する。
【００８１】
次に、コマーシャル商品に関する詳細情報および販売店情報を表示したときの表示画面の一例を図１５に示す。本実施形態の表示画面においては、上記第１実施形態の表示画面に対して、それまで視聴していた番組の映像が画面の左下に配置されている。各情報の配置は、ＣＰＵ４０９が映像合成部４０６に対して解像度変換部４１７からの映像情報を配置する位置を指定するとともに、ＣＰＵ４０９が展開したコマーシャル商品に関する詳細情報および販売店情報とコマーシャルの静止画データを静止画記憶部４１０上で、解像度変換部４１８からの映像情報を配置した以外の領域に配置することにより、自由に変えることができる。
【００８２】
以上に説明した構成によれば、データ放送により送られてきたコマーシャル商品に関する詳細情報および販売店情報を表示画面上に表示した場合にでも、それまで視聴していた番組を継続して視聴することが可能となる。  なお、本発明の目的は、前述した各実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００８３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはうまでもない。
【００８４】
本発明の実施態様の例を以下に列挙する。
【００８５】
［実施態様１］  映像情報および音声情報を含む各種情報を多重化して放送する放送装置であって、映像情報および音声情報を記憶する主情報記憶手段と、地域毎に共通の共通情報を記憶する共通情報記憶手段と、地域情報が付与された地域別情報を記憶する地域別情報記憶手段と、前記映像情報と前記音声情報と前記共通情報と前記地域別情報とを多重化する多重化手段と、前記多重化手段により多重化された情報を伝送する伝送手段と、遠隔地に設けられた端末と通信を行い、該通信により前記地域別情報記憶手段に記憶されている地域別情報を更新する更新手段とを備えることを特徴とする放送装置。
【００８６】
［実施態様２］  前記地域別情報記憶手段に新規の地域別情報を記憶する際に課金する課金手段を備えたことを特徴とする実施態様１記載の放送装置。
【００８７】
［実施態様３］  前記共通情報とは広告商品の詳細情報であり、前記地域別情報とは広告商品の販売を行っている販売店情報であることを特徴とする実施態様１または２記載の放送装置。
【００８８】
［実施態様４］  映像情報および音声情報を含む各種情報を多重化して放送する放送システムの受信装置であって、映像情報、音声情報、地域毎に共通の共通情報、および地域情報が付与された地域別情報が多重化された情報を受信する受信手段と、前記受信手段により受信された情報を、前記映像情報、前記音声情報、前記共通情報、前記地域別情報のそれぞれに分離する多重化分離手段と、受信地域情報を記憶する受信地域情報記憶手段と、前記共通情報と前記地域別情報とを記憶するデータ情報記憶手段と、前記地域別情報と前記受信地域情報とを比較し、前記受信地域情報に一致した前記地域別情報を地域情報として選別する地域情報選別手段と、前記共通情報または前記地域情報選別手段により選別された前記地域情報が表示されたことを検出するデータ情報表示検出手段と、前記データ情報表示検出手段の検出結果に応じて前記共通情報と前記地域別情報とを前記データ情報記憶手段に記憶するように制御を行うデータ情報制御手段と
を備えることを特徴とする受信装置。
【００８９】
［実施態様５］  さらに、前記映像情報を任意の解像度に変換する解像度変換手段と、前記解像度変換手段により任意の解像度に変換された映像情報と前記共通情報と前記地域情報選別手段により選別された前記地域情報とを合成する合成手段とを備えることを特徴とする実施態様４記載の受信装置。
【００９０】
［実施態様６］  前記共通情報とは広告商品の詳細情報であり、前記地域別情報とは広告商品の販売を行っている販売店情報であることを特徴とする実施態様４または５記載の受信装置。
【００９１】
［実施態様７］  映像情報および音声情報を含む各種情報を多重化して放送するための放送方法であって、映像情報および音声情報を記憶する主情報記憶工程と、地域毎に共通の共通情報を記憶する共通情報記憶工程と、地域情報が付与された地域別情報を記憶する地域別情報記憶工程と、前記映像情報と前記音声情報と前記共通情報と前記地域別情報とを多重化する多重化工程と、前記多重化工程により多重化された情報を伝送する伝送工程と、遠隔地に設けられた端末と通信を行い、該通信により前記地域別情報記憶工程で記憶された地域別情報を更新する更新工程とを有することを特徴とする放送方法。
【００９２】
［実施態様８］  さらに、前記地域別情報記憶工程で新規の情報を記憶する際に課金する課金工程を有することを特徴とする実施態様７記載の放送方法。
【００９３】
［実施態様９］  前記共通情報とは広告商品の詳細情報であり、前記地域別情報とは広告商品の販売を行っている販売店情報であることを特徴とする実施態様７または８記載の放送方法。
【００９４】
［実施態様１０］  映像情報および音声情報を含む各種情報を多重化して放送する放送システムの受信方法であって、映像情報、音声情報、地域毎に共通の共通情報、および地域情報が付与された地域別情報が多重化された情報を受信する受信工程と、前記受信工程により受信された情報を、前記映像情報、前記音声情報、前記共通情報、前記地域別情報のそれぞれに分離する多重化分離工程と、受信地域情報を記憶する受信地域情報記憶工程と、前記共通情報と前記地域別情報とを記憶するデータ情報記憶工程と、前記地域別情報と前記受信地域情報とを比較し、前記受信地域情報に一致した前記地域別情報を地域情報として選別する地域情報選別工程と、前記共通情報または前記地域情報選別手段により選別された前記地域情報が表示されたことを検出するデータ情報表示検出工程と、前記データ情報表示検出工程の検出結果に応じて前記共通情報と前記地域別情報とを前記データ情報記工程で記憶するように制御を行うデータ情報制御工程と
を備えることを特徴とする受信方法。
【００９５】
［実施態様１１］  さらに、前記映像情報を任意の解像度に変換する解像度変換工程と、前記解像度変換工程により任意の解像度に変換された映像情報と前記共通情報と前記地域情報選別工程により選別された前記地域情報とを合成する合成工程とを有することを特徴とする実施態様１０記載の受信方法。
【００９６】
［実施態様１２］  前記共通情報とは広告商品の詳細情報であり、前記地域別情報とは広告商品の販売を行っている販売店情報であることを特徴とする実施態様１０または１１記載の受信方法。
【００９７】
［実施態様１３］  地域情報が付与された地域別情報を受信する受信手段と、受信地域情報を記憶する受信地域情報記憶手段と、前記地域別情報を記憶する地域別情報記憶手段と、前記地域別情報と前記受信地域情報とを比較し、前記受信地域情報に一致した前記地域別情報を地域情報として選別する地域情報選別手段と、前記共通情報または前記地域情報選別手段により選別された前記地域情報が表示されたことを検出する検出手段と、前記検出手段の検出結果に応じて前記地域別情報を前記地域別情報記憶手段に記憶するように制御を行う制御手段とを備えることを特徴とする情報処理装置。
【００９８】
［実施態様１４］  地域情報が付与された地域別情報を受信する受信工程と、受信地域情報を記憶する受信地域情報記憶工程と、前記地域別情報を記憶する地域別情報記憶手段と、前記地域別情報と前記受信地域情報とを比較し、前記受信地域情報に一致した前記地域別情報を地域情報として選別する地域情報選別工程と、前記共通情報または前記地域情報選別工程により選別された前記地域情報が表示されたことを検出する検出工程と、前記検出工程の検出結果に応じて前記地域別情報を前記地域別情報記憶工程で記憶するように制御を行う制御工程とを有することを特徴とする情報処理方法。
【００９９】
【発明の効果】
以上説明したように、本発明によれば、映像情報および音声情報を記憶する主情報記憶手段と、地域毎に共通の共通情報を記憶する共通情報記憶手段と、地域情報が付与された地域別情報を記憶する地域別情報記憶手段と、映像情報と音声情報と共通情報と地域別情報とを多重化する多重化手段と、多重化手段により多重化された情報を伝送する伝送手段と、遠隔地に設けられた端末と通信を行い、該通信により地域別情報記憶手段に記憶されている地域別情報を更新する更新手段とを備えるので、商品メーカーの負担する広告費を軽減することができるとともに、視聴者に対してコマーシャル商品の取扱店、在庫数、価格などの最新の情報を提供することができる。
【０１００】
また、本発明によれば、映像情報、音声情報、地域毎に共通の共通情報、および地域情報が付与された地域別情報が多重化された情報を受信する受信手段と、受信手段により受信された情報を、映像情報、音声情報、共通情報、地域別情報のそれぞれに分離する多重化分離手段と、受信地域情報を記憶する受信地域情報記憶手段と、共通情報と地域別情報とを記憶するデータ情報記憶手段と、地域別情報と受信地域情報とを比較し、受信地域情報に一致した地域別情報を地域情報として選別する地域情報選別手段と、共通情報または地域情報選別手段により選別された地域情報が表示されたことを検出するデータ情報表示検出手段と、データ情報表示検出手段の検出結果に応じて共通情報と地域別情報とをデータ情報記憶手段に記憶するように制御を行うデータ情報制御手段とを備えるので、商品メーカーの負担する広告費を軽減することができるとともに、視聴者に対してコマーシャル商品の取扱店、在庫数、価格などの最新の情報を提供することができる。
【図面の簡単な説明】
【図１】本発明の第１実施形態に係る放送システムにおける、コマーシャル放送を提供する商品メーカーとコマーシャル商品の販売を手がける販売店と民間放送局と視聴者との関係を示す模式図である。
【図２】図１の民間放送局３における放送装置の構成を示すブロック図である。
【図３】販売店６が通信端末を介して販売店の登録を行う際の表示画面の一例を示す図である。
【図４】販売店６が通信端末を介して販売店の登録または登録した情報の更新を行う際の処理の手順を示すフローチャートである。
【図５】図１の視聴者４の受信装置の構成を示すブロック図である。
【図６】視聴者によりコマーシャル放送時に商品のデータ情報を表示するように指示された際のＣＰＵ４０９による制御処理の手順を示すフローチャートである。
【図７】視聴者によりコマーシャルに関連する商品情報の表示が指示されたときの表示画面の一例を示す図である。
【図８】表示画面上に表示される販売店情報の一例を示す図である。
【図９】本発明の第２実施形態に係る放送システムにおける視聴者４の受信装置の構成を示すブロック図である。
【図１０】視聴者によりコマーシャル放送時に商品のデータ情報を表示するように指示された際のＣＰＵ４０９による処理の手順を示すフローチャートである。
【図１１】ＨＤＤ４１７に蓄えられたコマーシャル商品に関する詳細情報および販売店情報を視聴しようとしたときのＣＰＵ４０９による処理の手順を示すフローチャートである。
【図１２】ＨＤＤ４１７に蓄えられているコマーシャル商品に関する詳細情報および販売店情報の一覧表示例を示す図である。
【図１３】本発明の第３実施形態に係る放送システムにおける視聴者４の受信装置の構成を示すブロック図である。
【図１４】本発明の第３実施形態における視聴者によりコマーシャル放送時に商品のデータ情報を表示するように指示された際のＣＰＵ４０９による処理の手順を示すフローチャートである。
【図１５】本発明の第３実施形態におけるコマーシャル商品に関する詳細情報および販売店情報を表示したときの表示画面の一例を図である。
【図１６】従来のコマーシャル放送における商品メーカーと民間放送局と視聴者との関係を示す模式図である。
【図１７】データ放送により商品情報が付加されたコマーシャルが放映されているときのテレビジョンにおける表示画面の一例を示す模式図である。
【図１８】コマーシャル放送における商品メーカーと民間放送局と視聴者との関係を示す模式図である。
【符号の説明】
１  商品メーカー
２  映像製作会社
３  民間放送局
４  視聴者
５  コンテンツ製作会社
６  販売店
７  広域通信回線網
３０１  メイン記憶装置
３０２  データ記憶装置
３０３  音声符号化装置
３０４  映像符号化装置
３０５  データ符号化装置
３０６  多重化装置
３０７  変調装置
３０８  制御装置
３０９  回線接続装置
４０１  復調部
４０２  多重化分離部
４０３  音声復号化部
４０４  映像復号化部
４０５  データ復号化部
４０６  映像合成部
４０７，４０８  Ｄ／Ａ変換器
４０９  ＣＰＵ
４１０  静止画記憶部
４１１  Ｉ／Ｏコントローラ
４１２  赤外線受光部
４１３  リモートコントローラ
４１４  カードスロット
４１５  ＩＣカード
４１６  ＥＥＰＲＯＭ
４１７  ＨＤＤ
４１８  解像度変換部
【図１】
2004229228.tif 000003
【図２】
2004229228.tif 000004
【図３】
2004229228.tif 000005
【図４】
2004229228.tif 000006
【図５】
2004229228.tif 000007
【図６】
2004229228.tif 000008
【図７】
2004229228.tif 000009
【図８】
2004229228.tif 000010
【図９】
2004229228.tif 000011
【図１０】
2004229228.tif 000012
【図１１】
2004229228.tif 000013
【図１２】
2004229228.tif 000014
【図１３】
2004229228.tif 000015
【図１４】
2004229228.tif 000016
【図１５】
2004229228.tif 000017
【図１６】
2004229228.tif 000018
【図１７】
2004229228.tif 000019
【図１８】
2004229228.tif 000020